(57)【要約】【課題】飛行性能に優れたゴルフボール２の提供。【解決手段】ゴルフボール２は、その表面に多数のディンプル８を備えている。このゴルフボール８の弾道が、第一区間、第二区間、第三区間及び第四区間に区分される。第一区間の抗力係数ＣＤの平均値ＣＤ１は、０．２２５以下である。第一区間の揚力係数ＣＬの平均値ＣＬ１は、０．１８０以下である。第二区間の抗力係数ＣＤの平均値ＣＤ２は、０．２５０以下である。第二区間の揚力係数ＣＬの平均値ＣＬ２は、０．２２０以下である。第三区間の抗力係数ＣＤの平均値ＣＤ３は、０．２６０以上である。第三区間の揚力係数ＣＬの平均値ＣＬ３は、０．２２０以上である。第四区間の抗力係数ＣＤの平均値ＣＤ４は、０．２５０以上である。第四区間の揚力係数ＣＬの平均値ＣＬ４は、０．２００以上である。【選択図】図２
2014140638.tif 000002
【特許請求の範囲】
【請求項１】
その表面に多数のディンプルを備えており、
ＩＴＲで得られた抗力係数ＣＤ及び揚力係数ＣＬが用いられ、ＵＳＧＡが提供するマニュアルに準拠して作成されたプログラムによって、ボール初速が５７．４ｍ／ｓであり打ち出し角度が１３．３°であり初期バックスピン速度が２４５０ｒｐｍである条件で計算された弾道が、打ち出し地点から打ち出し地点と頂点との中間地点までの第一区間、打ち出し地点と頂点との中間地点から頂点までの第二区間、頂点から頂点と落下地点との中間地点までの第三区間、及び頂点と落下地点との中間地点から落下地点までの第四区間に区分されたとき、
上記第一区間の抗力係数ＣＤの平均値ＣＤ１が０．２２５以下であり、
上記第一区間の揚力係数ＣＬの平均値ＣＬ１が０．１８０以下であり、
上記第二区間の抗力係数ＣＤの平均値ＣＤ２が０．２５０以下であり、
上記第二区間の揚力係数ＣＬの平均値ＣＬ２が０．２２０以下であり、
上記第三区間の抗力係数ＣＤの平均値ＣＤ３が０．２６０以上であり、
上記第三区間の揚力係数ＣＬの平均値ＣＬ３が０．２２０以上であり、
上記第四区間の抗力係数ＣＤの平均値ＣＤ４が０．２５０以上であり、
上記第四区間の揚力係数ＣＬの平均値ＣＬ４が０．２００以上であるゴルフボール。
【請求項２】
それぞれのディンプルの輪郭形状が非円形である請求項１に記載のゴルフボール。
【請求項３】
上記ディンプルが、上記ゴルフボールの仮想球の表面に想定されたボロノイ領域の輪郭に基づいて得られる請求項２に記載のゴルフボール。
【請求項４】
上記ディンプルのパターンが、
（１）上記仮想球の表面の上に多数の円を想定するステップ、
（２）上記多数の円の位置に基づき、多数の母点を想定するステップ、
（３）上記多数の母点に基づいたボロノイ分割によって、仮想球の表面の上に多数のボロノイ領域を想定するステップ、及び
（４）上記多数のボロノイ領域の輪郭に基づいて、仮想球の表面にディンプルとランドとを割り当てるステップ
を含む設計方法によって得られる請求項３に記載のゴルフボール。
【請求項５】
上記ディンプルの半径変化幅Ｒｈが０．４ｍｍ以上である請求項２から４のいずれかに記載のゴルフボール。
【請求項６】
上記ディンプルが下記数式を満たす請求項２から５のいずれかに記載のゴルフボール。
Ｒｈ ／ Ｒａｖｅ ≧ ０．２５
（この数式において、Ｒｈは半径変化幅を表し、Ｒａｖｅは平均半径を表す。）
【請求項７】
半径変化幅Ｒｈが最大であるディンプルの半径変化幅Ｒｈｍａｘと、半径変化幅Ｒｈが最小であるディンプルの半径変化幅Ｒｈｍｉｎとの差が０．１ｍｍ以上である請求項２から６のいずれかに記載のゴルフボール。
【請求項８】
下記数式を満たす請求項２から７のいずれかに記載のゴルフボール。
（Ｒｈｍａｘ − Ｒｈｍｉｎ） ＞ （Ｒ１ − Ｒ２）
（この数式において、Ｒｈｍａｘは半径変化幅Ｒｈが最大であるディンプルの半径変化幅を表し、Ｒｈｍｉｎは半径変化幅Ｒｈが最小であるディンプルの半径変化幅を表し、Ｒ１は半径変化幅Ｒｈが最大であるディンプルの平均半径を表し、Ｒ２は半径変化幅Ｒｈが最小であるディンプルの平均半径を表す。）
【発明の詳細な説明】
【技術分野】
【０００１】
本発明は、ゴルフボールに関する。詳細には、本発明は、ゴルフボールのディンプルの改良に関する。
【背景技術】
【０００２】
ゴルフボールは、その表面に多数のディンプルを備えている。ディンプルは、飛行時のゴルフボール周りの空気の流れを乱し、乱流剥離を起こさせる。乱流剥離により、空気のゴルフボールからの剥離点が後方にシフトする。乱流剥離により、バックスピンに起因するゴルフボールの上側剥離点と下側剥離点とのズレが助長される。
【０００３】
抗力係数ＣＤ及び揚力係数ＣＬは、ゴルフボールの弾道に影響を与える。米国ゴルフ協会（ＵＳＧＡ）は、弾道計算プログラムのマニュアルを公表している。このマニュアルに沿ったプログラムに抗力係数ＣＤ及び揚力係数ＣＬが入力されることにより、ゴルフボールの飛距離が予想されうる。抗力係数ＣＤ及び揚力係数ＣＬは、ＵＳＧＡのルールに規定されたＩＴＲ（Indoor Test Range）により測定される。
【０００４】
米国特許公開第２００７／００９３３１９号公報には、レイノルズ数が２０５０００でありスピン量が２９００ｒｐｍである時の揚力が所定範囲内であるゴルフボールが開示されている。
【０００５】
米国特許公開第２００７／００９３３２０号公報には、レイノルズ数が２３００００でありスピンレシオが０．０８５である時の抗力係数ＣＤ及び揚力係数ＣＬが所定範囲内であるゴルフボールが開示されている。
【先行技術文献】
【特許文献】
【０００６】
【特許文献１】米国特許公開第２００７／００９３３１９号公報
【特許文献２】米国特許公開第２００７／００９３３２０号公報
【発明の概要】
【発明が解決しようとする課題】
【０００７】
打ち出し地点から落下地点までの間、抗力係数ＣＤ及び揚力係数ＣＬは刻々と変化する。米国特許公開第２００７／００９３３１９号公報に記載されたゴルフボールでは、弾道の一時点での揚力が所定範囲に設定されているにすぎない。このゴルフボールの飛行性能に関する評価は、十分ではない。米国特許公開第２００７／００９３３２０号公報に記載されたゴルフボールでは、弾道の一時点での抗力係数ＣＤ及び揚力係数ＣＬが所定範囲に設定されているにすぎない。このゴルフボールの飛行性能に関する評価も、十分ではない。
【０００８】
本発明の目的は、飛行性能に優れたゴルフボールの提供にある。
【課題を解決するための手段】
【０００９】
本発明に係るゴルフボールは、その表面に多数のディンプルを備える。このゴルフボールでは、ＩＴＲで得られた抗力係数ＣＤ及び揚力係数ＣＬが用いられ、ＵＳＧＡが提供するマニュアルに準拠して作成されたプログラムによって、ボール初速が５７．４ｍ／ｓであり打ち出し角度が１３．３°であり初期バックスピン速度が２４５０ｒｐｍである条件で計算された弾道が、第一区間、第二区間、第三区間及び第四区間に区分されたとき、それぞれの区間の抗力係数ＣＤの平均値及び揚力係数ＣＬの平均値は、以下の通りである。
第一区間の抗力係数ＣＤの平均値ＣＤ１：０．２２５以下
第一区間の揚力係数ＣＬの平均値ＣＬ１：０．１８０以下
第二区間の抗力係数ＣＤの平均値ＣＤ２：０．２５０以下
第二区間の揚力係数ＣＬの平均値ＣＬ２：０．２２０以下
第三区間の抗力係数ＣＤの平均値ＣＤ３：０．２６０以上
第三区間の揚力係数ＣＬの平均値ＣＬ３：０．２２０以上
第四区間の抗力係数ＣＤの平均値ＣＤ４：０．２５０以上
第四区間の揚力係数ＣＬの平均値ＣＬ４：０．２００以上
第一区間は、打ち出し地点から、打ち出し地点と頂点との中間地点までである。第二区間は、打ち出し地点と頂点との中間地点から、頂点までである。第三区間は、頂点から、頂点と落下地点との中間地点までである。第四区間は、頂点と落下地点との中間地点から、落下地点までである。
【００１０】
好ましくは、それぞれのディンプルの輪郭形状は、非円形である。好ましくは、このディンプルは、ゴルフボールの仮想球の表面に想定されたボロノイ領域の輪郭に基づいて得られる。
【００１１】
好ましくは、ディンプルのパターンは、
（１）上記仮想球の表面の上に多数の円を想定するステップ、
（２）上記多数の円の位置に基づき、多数の母点を想定するステップ、
（３）上記多数の母点に基づいたボロノイ分割によって、仮想球の表面の上に多数のボロノイ領域を想定するステップ、及び
（４）上記多数のボロノイ領域の輪郭に基づいて、仮想球の表面にディンプルとランドとを割り当てるステップ
を含む設計方法によって得られる。
【００１２】
好ましくは、ディンプルの半径変化幅Ｒｈは、０．４ｍｍ以上である。好ましくは、ディンプルは、下記数式を満たす。
Ｒｈ ／ Ｒａｖｅ ≧ ０．２５
この数式において、Ｒｈは半径変化幅を表し、Ｒａｖｅは平均半径を表す。
【００１３】
好ましくは、半径変化幅Ｒｈが最大であるディンプルの半径変化幅Ｒｈｍａｘと、半径変化幅Ｒｈが最小であるディンプルの半径変化幅Ｒｈｍｉｎとの差は、０．１ｍｍ以上である。
【００１４】
好ましくは、ゴルフボールは、下記数式を満たす。
（Ｒｈｍａｘ − Ｒｈｍｉｎ） ＞ （Ｒ１ − Ｒ２）
この数式において、Ｒｈｍａｘは半径変化幅Ｒｈが最大であるディンプルの半径変化幅を表し、Ｒｈｍｉｎは半径変化幅Ｒｈが最小であるディンプルの半径変化幅を表し、Ｒ１は半径変化幅Ｒｈが最大であるディンプルの平均半径を表し、Ｒ２は半径変化幅Ｒｈが最小であるディンプルの平均半径を表す。
【発明の効果】
【００１５】
本発明では、打ち出し地点から落下地点までの抗力係数ＣＤ及び揚力係数ＣＬが、適正である。このゴルフボールは、飛行性能に優れる。
【図面の簡単な説明】
【００１６】
【図１】図１は、本発明の一実施形態に係るゴルフボールが示された模式的断面図である。
【図２】図２は、図１のゴルフボールが示された拡大正面図である。
【図３】図３は、図２のゴルフボールが示された平面図である。
【図４】図４は、その表面に多数の円が想定された仮想球が示された正面図である。
【図５】図５は、図４の仮想球が示された平面図である。
【図６】図６は、その表面に多数の母点が想定された仮想球が示された正面図である。
【図７】図７は、図６の仮想球が示された平面図である。
【図８】図８は、図６の母点がボロノイ領域と共に示された拡大図である。
【図９】図９は、ボロノイ分割に用いられるメッシュが示された正面図である。
【図１０】図１０は、簡便な方法で得られたボロノイ領域が想定された仮想球が示された正面図である。
【図１１】図１１は、図１０の仮想球が示された平面図である。
【図１２】図１２は、図２のゴルフボールのディンプルが示された拡大図である。
【図１３】図１３は、図１２のディンプルの半径変化幅の算出方法が説明されるためのグラフである。
【図１４】図１４は、図２のゴルフボールの弾道が抗力係数ＣＤ及び揚力係数ＣＬと共に示されたグラフである。
【図１５】図１５は、パターンＡを有するゴルフボールが示された正面図である。
【図１６】図１６は、図１５のゴルフボールが示された平面図である。
【図１７】図１７は、パターンＢを有するゴルフボールが示された正面図である。
【図１８】図１８は、図１７のゴルフボールが示された平面図である。
【図１９】図１９は、第一区間の空力マップが示されたグラフである。
【図２０】図２０は、第一区間の他の空力マップが示されたグラフである。
【図２１】図２１は、第二区間の空力マップが示されたグラフである。
【図２２】図２２は、第二区間の他の空力マップが示されたグラフである。
【図２３】図２３は、第三区間の空力マップが示されたグラフである。
【図２４】図２４は、第三区間の他の空力マップが示されたグラフである。
【図２５】図２５は、第四区間の空力マップが示されたグラフである。
【図２６】図２６は、第四区間の他の空力マップが示されたグラフである。
【発明を実施するための形態】
【００１７】
以下、適宜図面が参照されつつ、好ましい実施形態に基づいて本発明が詳細に説明される。
【００１８】
図１に示されたゴルフボール２は、球状のコア４と、カバー６とを備えている。カバー６の表面には、多数のディンプル８が形成されている。ゴルフボール２の表面のうちディンプル８以外の部分は、ランド１０である。このゴルフボール２は、カバー６の外側にペイント層及びマーク層を備えているが、これらの層の図示は省略されている。コア４とカバー６との間に、中間層が設けられてもよい。
【００１９】
このゴルフボール２の直径は、４０ｍｍ以上４５ｍｍ以下が好ましい。米国ゴルフ協会（ＵＳＧＡ）の規格が満たされるとの観点から、直径は４２．６７ｍｍ以上が特に好ましい。空気抵抗抑制の観点から、直径は４４ｍｍ以下がより好ましく、４２．８０ｍｍ以下が特に好ましい。このゴルフボール２の質量は、４０ｇ以上５０ｇ以下が好ましい。大きな慣性が得られるとの観点から、質量は４４ｇ以上がより好ましく、４５．００ｇ以上が特に好ましい。ＵＳＧＡの規格が満たされるとの観点から、質量は４５．９３ｇ以下が特に好ましい。
【００２０】
コア４は、ゴム組成物が架橋されることによって形成されている。ゴム組成物の基材ゴムとして、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点からポリブタジエンが好ましく、特にハイシスポリブタジエンが好ましい。
【００２１】
コア４の架橋には、共架橋剤が用いられうる。反発性能の観点から好ましい共架橋剤は、アクリル酸亜鉛、アクリル酸マグネシウム、メタクリル酸亜鉛及びメタクリル酸マグネシウムである。ゴム組成物には、共架橋剤と共に有機過酸化物が配合されるのが好ましい。好適な有機過酸化物としては、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００２２】
コア４のゴム組成物には、硫黄、硫黄化合物、充填剤、老化防止剤、着色剤、可塑剤、分散剤等の各種添加剤が、必要に応じて適量配合される。ゴム組成物に、架橋ゴム粉末又は合成樹脂粉末が配合されてもよい。
【００２３】
コア４の直径は３０．０ｍｍ以上が好ましく、３８．０ｍｍ以上が特に好ましい。コア４の直径は４２．０ｍｍ以下が好ましく、４１．５ｍｍ以下が特に好ましい。コア４が２以上の層から構成されてもよい。コア４がその表面にリブを備えてもよい。コア４が中空であってもよい。
【００２４】
カバー６に好適なポリマーは、アイオノマー樹脂である。好ましいアイオノマー樹脂として、α−オレフィンと炭素数が３以上８以下のα，β−不飽和カルボン酸との二元共重合体が挙げられる。好ましい他のアイオノマー樹脂として、α−オレフィンと炭素数が３以上８以下のα，β−不飽和カルボン酸と炭素数が２以上２２以下のα，β−不飽和カルボン酸エステルとの三元共重合体が挙げられる。二元共重合体及び三元共重合体において、好ましいα−オレフィンはエチレン及びプロピレンであり、好ましいα，β−不飽和カルボン酸はアクリル酸及びメタクリル酸である。二元共重合体及び三元共重合体において、カルボキシル基の一部は金属イオンで中和されている。中和のための金属イオンとして、ナトリウムイオン、カリウムイオン、リチウムイオン、亜鉛イオン、カルシウムイオン、マグネシウムイオン、アルミニウムイオン及びネオジムイオンが例示される。
【００２５】
アイオノマー樹脂に代えて、又はアイオノマー樹脂と共に、他のポリマーが用いられてもよい。他のポリマーとして、熱可塑性ポリウレタンエラストマー、熱可塑性スチレンエラストマー、熱可塑性ポリアミドエラストマー、熱可塑性ポリエステルエラストマー及び熱可塑性ポリオレフィンエラストマーが例示される。スピン性能の観点から、熱可塑性ポリウレタンエラストマーが好ましい。
【００２６】
カバー６には、必要に応じ、二酸化チタンのような着色剤、硫酸バリウムのような充填剤、分散剤、酸化防止剤、紫外線吸収剤、光安定剤、蛍光剤、蛍光増白剤等が適量配合される。比重調整の目的で、カバー６にタングステン、モリブデン等の高比重金属の粉末が配合されてもよい。
【００２７】
カバー６の厚みは０．１ｍｍ以上が好ましく、０．３ｍｍ以上が特に好ましい。カバー６の厚みは２．５ｍｍ以下が好ましく、２．２ｍｍ以下が特に好ましい。カバー６の比重は０．９０以上が好ましく、０．９５以上が特に好ましい。カバー６の比重は１．１０以下が好ましく、１．０５以下が特に好ましい。カバー６が２以上の層から構成されてもよい。
【００２８】
図２は、図１のゴルフボール２が示された拡大正面図である。図３は、図２のゴルフボール２が示された平面図である。図２及び３から明らかなように、このゴルフボール２は、多数の非円形なディンプル８を備えている。これらディンプル８とランド１０とにより、ゴルフボール２の表面に凹凸パターンが形成されている。
【００２９】
この凹凸パターンの設計方法には、ボロノイ分割（Voronoi tessellation）が用いられる。この設計方法では、多数の母点が仮想球１２（図１参照）の表面の上に配置される。この母点に基づいて、ボロノイ分割により、仮想球１２の表面の上に多数の領域が想定される。本願明細書では、この領域は、「ボロノイ領域」と称される。このボロノイ領域の輪郭に基づいて、ディンプル８及びランド１０が割り当てられる。この設計方法は、効率の観点から、コンピュータとソフトウエアとが用いられて実施されることが好ましい。もちろん、手計算でも本発明は実施されうる。本発明の本質がコンピュータソフトウエアにあるわけではない。以下、この設計方法が詳説される。
【００３０】
この設計方法では、図４及び５に示されるように、仮想球１２の表面に多数の円１４が想定される。これらの円１４の想定の方法は、円形ディンプルを有するディンプルパターンの設計方法と同様の方法である。円形ディンプルを有するディンプルパターンの設計方法は、当業者においてよく知られている。それぞれの円１４は、円形ディンプルの輪郭と一致する。本実施形態では、円１４の数は３４４個である。
【００３１】
これらの円１４の位置に基づき、仮想球１２の表面の上に多数の母点が想定される。本実施形態では、それぞれの円１４の中心が母点に想定される。図６及び７に、これらの母点１６が示されている。本実施形態では、円１４の数が３４４個なので、母点１６の数は３４４個である。
【００３２】
これらの母点１６に基づいて、多数のボロノイ領域が想定される。図８には、ボロノイ領域１８が示されている。図８において、母点１６ａは６個の母点１６ｂと隣接している。符号２０で示されているのは、母点１６ａと母点１６ｂとを結ぶ線分である。図８には、６本の線分２０が示されている。符号２２で示されているのは、それぞれの線分２０の垂直二等分線である。母点１６ａは、６本の垂直二等分線２２で囲まれている。図８において白抜き円で示されているのは、垂直二等分線２２と他の垂直二等分線２２との交点である。この交点が仮想球１２の表面に投影された点は、球面多角形（例えば球面六角形）の頂点である。この投影は、仮想球１２の中心から放射される光線によってなされる。この球面多角形が、ボロノイ領域１８である。仮想球１２の表面は、多数のボロノイ領域１８に分割される。この分割の方法は、ボロノイ分割と称される。本実施形態では、母点１６の数が３４４個なので、ボロノイ領域１８の数は３４４個である。
【００３３】
垂直二等分線２２に基づいてボロノイ領域１８の輪郭を画定する計算は、複雑である。以下、簡便にボロノイ領域１８が得られる方法が説明される。この方法では、仮想球１２の表面が、多数の球面三角形に分割される。分割は、前進先端法（advancing front method）に基づいてなされている。前進先端法が、「大学院情報理工学３  計算力学（伊藤耿一編、講談社発行）」の第１９５−１９７頁に開示されている。この分割により、図９に示されたメッシュ２４が得られる。このメッシュ２４において、三角形の数は３１４０８６個であり、頂点の数は１５７０４５個である。それぞれの頂点は、セル（又はセルの中心）と定義される。このメッシュ２４では、セルの数は１５７０４５個である。他の手法によって仮想球１２が分割されてもよい。セルの数は、１００００個以上が好ましく、１０００００個以上が特に好ましい。
【００３４】
このメッシュ２４において、それぞれのセルにおける、このセルと全ての母点１６との距離が算出される。セル毎に、母点１６の数と同じ数の距離が算出される。これらの距離の中から、最も短い距離が選定される。この最も短い距離の対象となった母点１６に、このセルが関連づけされる。換言すれば、このセルに最も近い母点１６が選定される。なお、当該セルからの距離が大きいことが明らかである母点１６との距離の計算が、省略されてもよい。
【００３５】
それぞれの母点１６に関し、この母点１６と関連づけされたセルの集合が想定される。換言すれば、この母点１６を最も近い母点１６とするセルの集合が想定される。この集合が、ボロノイ領域１８とみなされる。こうして得られた多数のボロノイ領域１８が、図１０及び１１に示されている。図１０及び１１では、当該セルと隣接する他のセルが、当該セルが属するボロノイ領域１８とは異なるボロノイ領域１８に属する場合に、当該セルが黒く塗りつぶされている。
【００３６】
図１０及び１１から明らかなように、それぞれのボロノイ領域１８の輪郭は、ジグザグである。この輪郭に、スムージング等が施される。典型的なスムージングは、移動平均である。３点移動平均、５点移動平均、７点移動平均等によるスムージングが採用されうる。
【００３７】
３点移動平均では、下記の３つのセルの座標が平均される。
（１）当該セル
（２）時計回りにおいて当該セルに最も近いセル
（３）反時計回りにおいて当該セルに最も近いセル
【００３８】
５点移動平均では、下記の５つのセルの座標が平均される。
（１）当該セル
（２）時計回りにおいて当該セルに最も近いセル
（３）反時計回りにおいて当該セルに最も近いセル
（４）時計回りにおいて当該セルに２番目に近いセル
（５）反時計回りにおいて当該セルに２番目に近いセル
【００３９】
７点移動平均では、下記の７つのセルの座標が平均される。
（１）当該セル
（２）時計回りにおいて当該セルに最も近いセル
（３）反時計回りにおいて当該セルに最も近いセル
（４）時計回りにおいて当該セルに２番目に近いセル
（５）反時計回りにおいて当該セルに２番目に近いセル
（６）時計回りにおいて当該セルに３番目に近いセル
（７）反時計回りにおいて当該セルに３番目に近いセル
【００４０】
移動平均で得られた座標を有する複数の点が、スプライン曲線で結ばれる。このスプライン曲線により、ループが得られる。ループの形成のとき、点の一部が間引かれてスプライン曲線が画かれてもよい。ループの拡大又は縮小がなされて、新たなループが得られてもよい。このループの上又はこのループの外部に、ランド１０が割り当てられる。換言すれば、ボロノイ領域１８の輪郭の近傍にランド１０が割り当てられる。一方、ループの内部又はループの上にディンプル８が割り当てられる。このようにして、図２及び３に示された凹凸パターンが得られる。
【００４１】
ゴルフボール２の飛行性能の観点から、ディンプル８の占有率は８５％以上が好ましく、９０％以上がより好ましく、９２％以上が特に好ましい。ゴルフボール２の耐久性の観点から、占有率は９８％以下が好ましい。本実施形態では、占有率は９２％である。ボロノイ分割が採用されることにより、小さなディンプル８が配置されなくても、大きな占有率が達成されうる。
【００４２】
図２及び３から明らかなように、このゴルフボール２では、ディンプル８が整然と並んではいない。このゴルフボール２は、互いに輪郭形状が異なる多数種類のディンプル８を備えている。これらのディンプル８により、大きなディンプル効果が達成される。ディンプル８の種類数は５０以上が好ましく、１００以上が特に好ましい。本実施形態では、それぞれのディンプルは、他のいずれのディンプルの輪郭形状とも異なる輪郭形状を有している。
【００４３】
ゴルフボール２のホップが抑制されるとの観点から、ディンプル８の深さは０．０５ｍｍ以上が好ましく、０．０８ｍｍ以上がより好ましく、０．１０ｍｍ以上が特に好ましい。ゴルフボール２のドロップが抑制されるとの観点から、この深さは０．６０ｍｍ以下が好ましく、０．４５ｍｍ以下がより好ましく、０．４０ｍｍ以下が特に好ましい。深さは、ディンプル８の最深点と仮想球１２の表面との距離である。
【００４４】
本発明において「ディンプルの容積」とは、仮想球１２の表面とディンプル８の表面とに囲まれた部分の容積を意味する。全てのディンプル８の容積の合計（総容積）は、ゴルフボール２のホップが抑制されるとの観点から５００ｍｍ３以上が好ましく、５５０ｍｍ３以上がより好ましく、６００ｍｍ３以上が特に好ましい。ゴルフボール２のドロップが抑制されるとの観点から、この合計は９００ｍｍ３以下が好ましく、８５０ｍｍ３以下がより好ましく、８００ｍｍ３以下が特に好ましい。
【００４５】
実質的に球であるというゴルフボール２の本質が損なわれないとの観点から、ディンプル８の総数は２５０個以上が好ましく、２８０個以上がより好ましく、３１０個以上が特に好ましい。それぞれのディンプル８がディンプル効果に寄与しうるとの観点から、この総数は４５０個以下が好ましく、４００個以下がより好ましく、３７０個以下が特に好ましい。
【００４６】
前述の通り、ボロノイ分割に先立ち、仮想球１２の表面の上に多数の円１４が想定される。ディンプル８が偏りなく配置されうるとの観点から、下記（１）−（４）に示される条件のうちの１又は２以上が満たされるように円１４が想定されることが好ましい。
（１）円１４とこの円１４に隣接する他の円１４とが、交差しないこと
（２）円１４の直径が、２．０ｍｍ以上６．０ｍｍ以下であること
（３）円１４の数が、２８０個以上４００以下であること
（４）円１４の合計面積の、仮想球１２の表面の面積に対する比率が６０％以上であること
好ましくは、上記（１）−（４）に示される条件のすべてが満たされるように、円１４が想定される。
【００４７】
このゴルフボール２は、半径変化幅Ｒｈが０．４ｍｍ以上であるディンプル８を備えている。半径変化幅Ｒｈの算出の方法が、図１２に示されている。この方法では、ディンプル８の輪郭の上に、この輪郭の長さが３０等分されるように、３０個の点Ｐが想定される。これらの点Ｐの中には、ディンプル８の輪郭上にありかつポールに最も近い点Ｐｐが含まれる。３０個の点Ｐの座標が平均されることにより、中心Ｏの座標が決定される。
【００４８】
中心Ｏの座標が決定された後、この中心Ｏと点Ｐとの距離（つまり半径Ｒ）が算出される。すべての点Ｐに関し、半径Ｒが算出される。図１３は、この半径Ｒがプロットされたグラフである。このグラフの横軸は、中心Ｏとそれぞれの点とを結ぶ線の、経線方向に対する角度である。このグラフに示されるように、半径Ｒの最大値から、半径Ｒの最小値が減じられた値が、半径変化幅Ｒｈである。半径変化幅Ｒｈは、ディンプル８の歪さを示す指標である。
【００４９】
半径変化幅Ｒｈが０．４ｍｍ以上であるディンプル８を備えたゴルフボール２では、ディンプル８が整然と並ばない。このゴルフボール２は、飛行性能に優れる。半径変化幅Ｒｈが０．４ｍｍ以上であるディンプル８の数の、ディンプル８の総数に対する比率Ｐ１は、３０％以上が好ましく、５０％以上がより好ましく、７０％以上が特に好ましい。理想的な比率Ｐ１は、１００％である。図２及び３に示されたゴルフボール２では、比率Ｐ１は８１％である。
【００５０】
図１３から明らかな通り、このディンプル８の半径Ｒの変化は周期性を有さない。このゴルフボール２では、ディンプル８が整然と並ばない。このゴルフボール２は、飛行性能に優れる。
【００５１】
飛行性能の観点から、半径変化幅Ｒｈが最大であるディンプル８の半径変化幅Ｒｈｍａｘと、半径変化幅Ｒｈが最小であるディンプル８の半径変化幅Ｒｈｍｉｎとの差は、０．１ｍｍ以上が好ましく、０．３ｍｍ以上がより好ましく、０．５ｍｍ以上が特に好ましい。
【００５２】
飛行性能の観点から、すべてのディンプル８に関する半径変化幅Ｒｈの標準偏差は、０．１０以上が好ましく、０．１３以上が特に好ましい。
【００５３】
このゴルフボール２は、下記数式（１）を満たすディンプル８を含んでいる。
Ｒｈ ／ Ｒａｖｅ ≧ ０．２５      （１）
この数式において、Ｒｈは半径変化幅を表し、Ｒａｖｅは平均半径を表す。Ｒａｖｅは、１つのディンプル８が有するすべての点の半径Ｒの平均である。
【００５４】
上記数式（１）を満たすゴルフボール２では、ディンプル８が整然と並ばない。このゴルフボール２は、飛行性能に優れる。上記数式（１）を満たすディンプル８の数の、ディンプル８の総数に対する比率Ｐ２は、１０％以上が好ましく、２０％以上がより好ましく、３０％以上が特に好ましい。理想的な比率Ｐ２は、１００％である。図２及び３に示されたゴルフボール２では、比率Ｐ２は３６％である。
【００５５】
飛行性能の観点から、ゴルフボール２が下記数式（２）を満たすことが好ましい。
（Ｒｈｍａｘ − Ｒｈｍｉｎ） ＞ （Ｒ１ − Ｒ２）      （２）
この数式において、Ｒｈｍａｘは半径変化幅Ｒｈが最大であるディンプル８の半径変化幅を表し、Ｒｈｍｉｎは半径変化幅Ｒｈが最小であるディンプル８の半径変化幅を表し、Ｒ１は半径変化幅Ｒｈが最大であるディンプル８の平均半径を表し、Ｒ２は半径変化幅Ｒｈが最小であるディンプル８の平均半径を表す。（Ｒｈｍａｘ−Ｒｈｍｉｎ）と（Ｒ１−Ｒ２）との差は、０．１ｍｍ以上が好ましく、０．２ｍｍ以上がより好ましく、０．３ｍｍ以上が特に好ましい。図２及び３に示されたゴルフボール２では、この差は０．４４９ｍｍである。
【００５６】
このゴルフボール２の、１５個の条件における抗力係数ＣＤ及び揚力係数ＣＬが、ＩＴＲによって測定される。これらの抗力係数ＣＤ及び揚力係数ＣＬが用いられ、ＵＳＧＡが提供するマニュアルに準拠して作成されたプログラムによって、このゴルフボール２の弾道が計算される。プログラムには、以下の条件も入力される。
ボール初速：５７．４ｍ／ｓ
打ち出し角度：１３．３°
初期バックスピン速度：２４５０ｒｐｍ
このプログラムでは、ＵＳＧＡの「S. J. Quintavalla」によって提案されたモデルに基づいて、弾道が計算される。このモデルは、２００２年発行の「Science and Golf IV, Chapter 30, A Generally Applicable Model for the Aerodynamic Behavior of Golf Balls」に開示されている。
【００５７】
この弾道の計算により、打ち出し地点から落下地点までの、５／１０００秒ごとの抗力係数ＣＤ及び揚力係数ＣＬが算出されうる。この弾道の計算により得られた軌跡、抗力係数ＣＤ及び揚力係数ＣＬが、図１４に示されている。このゴルフボール２の弾道の軌跡は、打ち出し地点から頂点まで徐々に上昇しており、この頂点から落下地点まで徐々に下降している。
【００５８】
図１４では、符号ＩからIVにより、弾道の区間が示されている。符号Ｉで示されているのは、第一区間であり、符号IIで示されているのは第二区間であり、符号IIIで示されているのは第三区間であり、符号IVで示されているのは第四区間である。第一区間と第二区間との境界は、打ち出し地点と頂点との中間地点である。第二区間と第三区間との境界は、頂点である。第三区間と第四区間との境界は、頂点と落下地点との中間地点である。第一区間の水平方向距離は、第二区間の水平方向距離と同一である。第三区間の水平方向距離は、第四区間の水平方向距離と同一である。
【００５９】
本発明では、５／１０００秒ごとに多数の抗力係数ＣＤが算出される。さらに、それぞれの区間に属する抗力係数ＣＤの平均値が算出される。具体的には、第一区間の抗力係数ＣＤの平均値ＣＤ１、第二区間の抗力係数ＣＤの平均値ＣＤ２、第三区間の抗力係数ＣＤの平均値ＣＤ３、及び第四区間の抗力係数ＣＤの平均値ＣＤ４が算出される。
【００６０】
本発明では、５／１０００秒ごとに多数の揚力係数ＣＬが算出される。さらに、それぞれの区間に属する揚力係数ＣＬの平均値が算出される。具体的には、第一区間の揚力係数ＣＬの平均値ＣＬ１、第二区間の揚力係数ＣＬの平均値ＣＬ２、第三区間の揚力係数ＣＬの平均値ＣＬ３、及び第四区間の揚力係数ＣＬの平均値ＣＬ４が算出される。
【００６１】
抗力係数ＣＤの平均値及び揚力係数ＣＬの平均値が算出される、サンプル１−１０に係るゴルフボールの仕様が、下記の表１に示されている。
【００６２】
【表１】
2014140638.tif 000003
【００６３】
上記表１のサンプル２に係るゴルフボールの第一区間の平均値ＣＤ１及び平均値ＣＬ１を変動させて弾道計算が行われ、飛距離が算出される。この飛距離の等高線が、図１９の空力マップに示されている。この空力マップから、等高線の傾きが判明する。この等高線の傾きは、ボール初速、打ち出し角度及び初期バックスピン速度が同一である場合の、他のゴルフボールの第一区間における等高線の傾きと、ほぼ同一である。従って、この傾きは、一般的なゴルフボールの傾きとして、普遍的に用いられうる。図２０には、他の空力マップが示されている。図２０において、横軸は第一区間の平均値ＣＤ１であり、縦軸は第一区間の平均値ＣＬ１である。図２０には、サンプル１−１０のゴルフボールがプロットされている。この図２０において一点鎖線で示されているのは、飛距離の等高線である。この等高線よりも左側に位置し、かつこの等高線までの距離が大きいゴルフボールは、飛行性能に優れる。
【００６４】
上記表１のサンプル２に係るゴルフボールの第二区間の平均値ＣＤ２及び平均値ＣＬ２を変動させて弾道計算が行われ、飛距離が算出される。この飛距離の等高線が、図２１の空力マップに示されている。この空力マップから、等高線の傾きが判明する。この等高線の傾きは、ボール初速、打ち出し角度及び初期バックスピン速度が同一である場合の、他のゴルフボールの第二区間における等高線の傾きと、ほぼ同一である。従って、この傾きは、一般的なゴルフボールの傾きとして、普遍的に用いられうる。図２２には、他の空力マップが示されている。図２２において、横軸は第二区間の平均値ＣＤ２であり、縦軸は第二区間の平均値ＣＬ２である。図２２には、サンプル１−１０のゴルフボールがプロットされている。この図２２において一点鎖線で示されているのは、飛距離の等高線である。この等高線よりも左側に位置し、かつこの等高線までの距離が大きいゴルフボールは、飛行性能に優れる。
【００６５】
上記表１のサンプル２に係るゴルフボールの第三区間の平均値ＣＤ３及び平均値ＣＬ３を変動させて弾道計算が行われ、飛距離が算出される。この飛距離の等高線が、図２３の空力マップに示されている。この空力マップから、等高線の傾きが判明する。この等高線の傾きは、ボール初速、打ち出し角度及び初期バックスピン速度が同一である場合の、他のゴルフボールの第三区間における等高線の傾きと、ほぼ同一である。従って、この傾きは、一般的なゴルフボールの傾きとして、普遍的に用いられうる。図２４には、他の空力マップが示されている。図２４において、横軸は第三区間の平均値ＣＤ３であり、縦軸は第三区間の平均値ＣＬ３である。図２４には、サンプル１−１０のゴルフボールがプロットされている。この図２４において一点鎖線で示されているのは、飛距離の等高線である。この等高線よりも左側に位置し、かつこの等高線までの距離が大きいゴルフボールは、飛行性能に優れる。
【００６６】
上記表１のサンプル２に係るゴルフボールの第四区間の平均値ＣＤ４及び平均値ＣＬ４を変動させて弾道計算が行われ、飛距離が算出される。この飛距離の等高線が、図２５の空力マップに示されている。この空力マップから、等高線の傾きが判明する。この等高線の傾きは、ボール初速、打ち出し角度及び初期バックスピン速度が同一である場合の、他のゴルフボールの第四区間における等高線の傾きと、ほぼ同一である。従って、この傾きは、一般的なゴルフボールの傾きとして、普遍的に用いられうる。図２６には、他の空力マップが示されている。図２６において、横軸は第四区間の平均値ＣＤ４であり、縦軸は第四区間の平均値ＣＬ４である。図２６には、サンプル１−１０のゴルフボールがプロットされている。この図２６において一点鎖線で示されているのは、飛距離の等高線である。この等高線よりも左側に位置し、かつこの等高線までの距離が大きいゴルフボールは、飛行性能に優れる。
【００６７】
図２０及び２２より、第一区間及び第二区間における抗力係数ＣＤ及び揚力係数ＣＬが小さいゴルフボールが、飛行性能に優れていることが解る。図２４及び２６より、第三区間及び第四区間における抗力係数ＣＤ及び揚力係数ＣＬが大きいゴルフボールが、飛行性能に優れていることが解る。
【００６８】
飛行性能の観点から、第一区間の抗力係数ＣＤの平均値ＣＤ１は０．２２５以下が好ましく、０．２２４以下がより好ましく、０．２２３以下が特に好ましい。飛行性能の観点から、第一区間の揚力係数ＣＬの平均値ＣＬ１は０．１８０以下が好ましく、０．１７７以下がより好ましく、０．１７５以下が特に好ましい。
【００６９】
飛行性能の観点から、第二区間の抗力係数ＣＤの平均値ＣＤ２は０．２５０以下が好ましく、０．２４５以下がより好ましく、０．２４４以下が特に好ましい。飛行性能の観点から、第二区間の揚力係数ＣＬの平均値ＣＬ２は０．２２０以下が好ましく、０．２１５以下がより好ましく、０．２１２以下が特に好ましい。
【００７０】
飛行性能の観点から、第三区間の抗力係数ＣＤの平均値ＣＤ３は０．２６０以上が好ましく、０．２６５以上がより好ましく、０．２７０以上が特に好ましい。飛行性能の観点から、第三区間の揚力係数ＣＬの平均値ＣＬ３は０．２２０以上が好ましく、０．２３０以上がより好ましく、０．２３９以上が特に好ましい。
【００７１】
飛行性能の観点から、第四区間の抗力係数ＣＤの平均値ＣＤ４は０．２５０以上が好ましく、０．２５６以上がより好ましく、０．２６６以上が特に好ましい。飛行性能の観点から、第四区間の揚力係数ＣＬの平均値ＣＬ４は０．２００以上が好ましく、０．２１３以上がより好ましく、０．２３４以上が特に好ましい。
【実施例】
【００７２】
［実施例１］
１００質量部のポリブタジエン（ジェイエスアール社の商品名「ＢＲ−７３０」）、３０質量部のアクリル酸亜鉛、６質量部の酸化亜鉛、１０質量部の硫酸バリウム、０．５質量部のジフェニルジスルフィド及び０．５質量部のジクミルパーオキサイドを混練し、ゴム組成物を得た。このゴム組成物を共に半球状キャビティを備えた上型及び下型からなる金型に投入し、１７０℃で１８分間加熱して、直径が３９．７ｍｍであるコアを得た。一方、５０質量部のアイオノマー樹脂（三井・デュポンポリケミカル社の商品名「ハイミラン１６０５」）、５０質量部の他のアイオノマー樹脂（三井・デュポンポリケミカル社の商品名「ハイミラン１７０６」）及び３質量部の二酸化チタンを混練し、樹脂組成物を得た。上記コアを、内周面に多数のピンプルを備えたファイナル金型に投入し、コアの周囲に上記樹脂組成物を射出成形法により注入して、厚みが１．５ｍｍであるカバーを成形した。カバーには、ピンプルの形状が反転した形状のディンプルが多数形成された。このカバーに、二液硬化型ポリウレタンを基材とするクリアー塗料を塗装し、直径が４２．７ｍｍであり質量が約４５．４ｇである実施例１のゴルフボールを得た。このゴルフボールのＰＧＡコンプレッションは、約８５である。このゴルフボールは、図２及び３に示されたディンプルパターンを有する。このゴルフボールの占有率は、９２％である。このゴルフボールのディンプルの総容積は、６９０ｍｍ３である。
【００７３】
［実施例２及び比較例１−８］
ファイナル金型を変更した他は実施例１と同様にして、実施例２及び比較例１−８のゴルフボールを得た。これらのゴルフボールのディンプルの仕様が、下記の表２及び３に示されている。
【００７４】
［飛距離テスト］
ＩＴＲテストで得られた空力特性値を用い、弾道計算を行った。この弾道計算の条件は、以下の通りである。
ボール初速：５７．４ｍ／ｓ
打ち出し角度：１３．３°
初期バックスピン速度：２４５０ｒｐｍ
この弾道計算で得られた抗力係数ＣＤの各区間の平均値が、下記の表２及び３に示されている。この弾道計算で得られた揚力係数ＣＬの各区間の平均値が、下記の表２及び３に示されている。さらに、この弾道計算で得られた飛距離（キャリー）が、下記の表２及び３に示されている。飛距離は、発射地点から落下地点までの距離である。
【００７５】
【表２】
2014140638.tif 000004
【００７６】
【表３】
2014140638.tif 000005
【００７７】
表２及び３に示されるように、各実施例のゴルフボールは、飛行性能に優れている。この評価結果から、本発明の優位性は明らかである。
【産業上の利用可能性】
【００７８】
以上説明されたディンプルパターンは、ツーピースゴルフボールのみならず、ワンピースゴルフボール、マルチピースゴルフボール及び糸巻きゴルフボールにも適用されうる。
【符号の説明】
【００７９】
２・・・ゴルフボール
８・・・ディンプル
１０・・・ランド
１２・・・仮想球
１４・・・円
１６・・・母点
１８・・・ボロノイ領域
２２・・・垂直二等分線
２４・・・メッシュ
【図１】
2014140638.tif 000006
【図２】
2014140638.tif 000007
【図３】
2014140638.tif 000008
【図４】
2014140638.tif 000009
【図５】
2014140638.tif 000010
【図６】
2014140638.tif 000011
【図７】
2014140638.tif 000012
【図８】
2014140638.tif 000013
【図９】
2014140638.tif 000014
【図１０】
2014140638.tif 000015
【図１１】
2014140638.tif 000016
【図１２】
2014140638.tif 000017
【図１３】
2014140638.tif 000018
【図１４】
2014140638.tif 000019
【図１５】
2014140638.tif 000020
【図１６】
2014140638.tif 000021
【図１７】
2014140638.tif 000022
【図１８】
2014140638.tif 000023
【図１９】
2014140638.tif 000024
【図２０】
2014140638.tif 000025
【図２１】
2014140638.tif 000026
【図２２】
2014140638.tif 000027
【図２３】
2014140638.tif 000028
【図２４】
2014140638.tif 000029
【図２５】
2014140638.tif 000030
【図２６】
2014140638.tif 000031